(57)【要約】【課題】医療用収納容器の保管施設の設備を変更することなく、医療用収納容器の保管数量を増加でき、しかも、医療用収納容器の保管時等には、既存の医療用収納容器と略同様に取扱うことができるようにする。【解決手段】医療用凍結バッグ１３を収納し、２個以上並設される医療用収納容器１１において、医療用収納容器１１とは別体とされた連結具３８を医療用収納容器１１に係脱自在に係合することにより、医療用収納容器１１を隣接する医療用収納容器と解除可能に連結する。【選択図】　図１８
2004121669.tif 000002
【特許請求の範囲】
【請求項１】
医療用凍結バッグを収納し、２個以上並設される医療用収納容器において、
連結具により、隣接する医療用収納容器と解除可能に連結され、
連結具が、医療用収納容器とは別体とされて、医療用収納容器と係脱自在に係合する医療用収納容器。
【請求項２】
医療用凍結バッグを収納し、２個以上並設される医療用収納容器において、
連結具により、隣接する医療用収納容器と解除可能に連結され、
連結具が、医療用収納容器に解除可能に磁気吸着される医療用収納容器。
【請求項３】
連結具が、
Ａ．連結された２個以上の医療用収納容器に対して、医療用収納容器の並設方向に沿設される沿設部と、
Ｂ．沿設部の両端部から突設された対向部
を有し、
各対向部が、連結された２個以上の医療用収納容器の内の最外側に位置する各医療用収納容器の外側端面に対して、医療用収納容器の並設方向に関して対向する請求項１又は２記載の医療用収納容器。
【請求項４】
連結具における、医療用収納容器の並設方向の長さが、連結具により連結された２個以上の医療用収納容器における、並設方向の長さと略同一とされた請求項１〜３の何れかに記載の医療用収納容器。
【請求項５】
医療用収納容器が、
Ａ．前方に開口し、凍結バッグが収納される収納体と、
Ｂ．収納体に嵌合され、収納体の前方開口を開閉自在に施蓋する蓋体
を有し、
蓋体の天壁部が収納体の天壁部の上方に配置されて、
両天壁部間に、前後方向一方及び／又は左右両側方に開口する隙間が形成され、
この隙間に連結具が挿脱自在に挿通される請求項１〜４の何れかに記載の医療用収納容器。
【請求項６】
収納体の天壁部の上面に、連結具を解除可能に磁気吸着する磁石が備えられた請求項５記載の医療用収納容器。
【請求項７】
請求項１〜６の何れかに記載の連結具と、請求項１〜６の何れかに記載され且つ上記連結具により連結された２個以上の医療用収納容器を有する医療用収納容器セット。
【発明の詳細な説明】
【０００１】
【発明の属する技術分野】
本発明は、医療用凍結バッグを収納する医療用収納容器及び医療用収納容器セットに関し、医療用凍結バッグとしては、例えば、血液、細胞及び生体由来成分の凍結保存を目的としたプラスチック製の凍結保存バッグが挙げられる。
【０００２】
【従来の技術】
血液、細胞及び生体由来成分を凍結保存する際には、しばしばプラスチック製の保存容器（凍結バッグ）が使用される。例えば、末梢血や臍帯血の造血幹細胞は、移植に使用されるまで、凍結されるが、この際、造血幹細胞は凍結バッグに充填されて、凍結、保存されている。造血幹細胞は、−８０℃以下で保存され、時には、−１９６℃の液体窒素下で保存される。この時、使用される凍結バッグとしては、種々のものが既に提案されている（例えば、特許文献１，２参照）。
【０００３】
上記凍結バッグは、一般的に、凍結時の破損を防止するために、金属製や紙製の収納容器（プロテクタ）に収納され、この収納容器が金属製の棚（ラック）に収納されて、液体窒素タンクや超低温フリーザーに保管される。
【０００４】
一般的に、ラックには、２段以上の棚部が上下方向に並設されて、ラックに、収納容器が側方から挿入され、収納容器が棚部に立設姿勢で載置される。又、ラックの前後面における、収納容器の前方及び後方側には、大きな窓部が形成されている。これにより、ラックが軽量化されると共に、ラック内に冷気や液体窒素が流入し易くなり、凍結バッグ及びその内容物が速やかに冷却される。
【０００５】
【特許文献１】
特開平９−２７６３６７号公報
【特許文献２】
特許第２８７６５８８号公報
【０００６】
【発明が解決しようとする課題】
ところで、近年、血液、細胞及び生体由来成分の需要の増大に伴い、凍結バッグの保存数量が増加している。しかしながら、凍結バッグの保存数量の増加に対応するために、ラック、液体窒素タンク、超低温フリーザー等を増加させるのでは、新たな設備投資や設置スペースが必要となると共に、場合によっては、凍結バッグの保存用建家を増改築する必要もあり、凍結バッグの保存施設にかかる負担は大きい。
【０００７】
そこで、本発明者は、既存の収納容器を、左右方向に関して、２分割した大きさの収納容器を考え、この収納容器を、ラックの棚部に、左右方向に２個並設することを想到した。このようにすれば、新たな設備投資や設置スペースの確保をせずとも、凍結バッグの保存数量を２倍とできる。
【０００８】
ところで、上記のように、単に、収納容器を既存の収納容器の半分の大きさとしたのでは、この収納容器を、既存のラックの棚部に載置した際に、収納容器がラックの前後の窓部から落下する惧れがある。この惧れを無くすためには、ラックの形状を変更する必要があるが、このようにすると、新たに、ラックを購入する必要があり、新たな設備投資が必要となる。
【０００９】
本発明は、上記問題を解決でき、医療用凍結バッグを収納する医療用収納容器の保管（保存）施設の設備を変更することなく、医療用収納容器の保管数量を増加でき、しかも、医療用収納容器の保管時等には、既存の医療用収納容器と略同様に取扱うことができる医療用収納容器及び医療用収納容器セットを提供することを目的とする。
【００１０】
【課題を解決するための手段】
上記目的を達成するために、本発明の医療用収納容器の特徴とするところは、医療用凍結バッグを収納し、２個以上並設される医療用収納容器において、連結具により、隣接する医療用収納容器と解除可能に連結され、連結具が、医療用収納容器とは別体とされて、医療用収納容器と係脱自在に係合する点にある。
尚、医療用凍結バッグを収納し、２個以上並設される医療用収納容器において、連結具により、隣接する医療用収納容器と解除可能に連結され、連結具が、医療用収納容器に解除可能に磁気吸着されることもある。
又、連結具が、Ａ．連結された２個以上の医療用収納容器に対して、医療用収納容器の並設方向に沿設される沿設部と、Ｂ．沿設部の両端部から突設された対向部を有し、各対向部が、連結された２個以上の医療用収納容器の内の最外側に位置する各医療用収納容器の外側端面に対して、医療用収納容器の並設方向に関して対向することもある。
更に、連結具における、医療用収納容器の並設方向の長さが、連結具により連結された２個以上の医療用収納容器における、並設方向の長さと略同一とされることもある。
又、医療用収納容器が、Ａ．前方に開口し、凍結バッグが収納される収納体と、Ｂ．収納体に嵌合され、収納体の前方開口を開閉自在に施蓋する蓋体を有し、蓋体の天壁部が収納体の天壁部の上方に配置されて、両天壁部間に、前後方向一方及び／又は左右両側方に開口する隙間が形成され、この隙間に連結具が挿脱自在に挿通されることもある。
更に、収納体の天壁部の上面に、連結具を解除可能に磁気吸着する磁石が備えられることもある。
又、本発明の医療用収納容器セットの特徴とするところは、上記連結具と、上記連結具により連結された２個以上の医療用収納容器を有する点にある。
尚、医療用収納容器の構成として、並設される医療用収納容器において、連結手段により、隣接する医療用収納容器と解除可能に連結され、連結手段が、係合部と、係合部が係脱自在に係合される被係合部を有し、医療用収納容器の並設方向に関して、医療用収納容器の一端面に係合部が備えられ、医療用収納容器の他端面に被係合部が備えられることもある。
又、医療用収納容器の一側壁に、上下一対の被係合部が備えられ、上側被係合部が、下方及び前後方向一方に開口し、下側被係合部が、上方及び前後方向他方に開口し、医療用収納容器の他側壁に、被係合部が備えられ、上下方向に関して、両被係合部間の中央に、係合部の上下方向中央部が位置し、医療用収納容器を、隣接する医療用収納容器に対して、水平軸回りに略９０°相対的に回動させることにより、係合部が両被係合部に係脱するようにすることもある。
更に、医療用収納容器の一側壁に、係合部が側方に突出状に備えられ、係合部が、Ａ．その基部側に位置する基部側大径部と、Ｂ．この大径部から側方に連設され、大径部よりも小径とされた小径部と、Ｃ．この小径部から側方に連設され、小径部よりも大径とされた先端側大径部を有し、医療用収納容器の他側壁に、被係合部が左右方向に貫通形成され、被係合部が、イ．その下部に位置し、先端側大径部及び小径部が側方から嵌脱可能とされた大径孔と、ロ．大径孔の上方に連設されて、大径孔よりも小径とされ、小径部のみが、大径孔内から嵌脱可能な小径孔を有することもある。
【００１１】
【発明の実施の形態】
以下、本発明の実施の形態の第１例を図１〜図１４の図面に基づき説明すると、図１及び図２は医療用収納容器装置を示し、この装置は、収納用ラック１と、収納容器セット（プロテクタセット）２を有する。
【００１２】
収納用ラック１は収納装置として例示されて、収納容器セット２を収納するもので、左側部に配設された前後一対の板状の支柱４，５と、右側部に配設された溝型状の支柱６と、これら支柱４〜６内に上下方向に並設され且つ各支柱４〜６に溶接された複数の溝型状棚部７を有する。又、ラック１の前後面側、即ち、左右の支柱４〜６間における、隣接する棚部７間が、前方及び後方に開口する窓部８，９とされている。尚、窓部８，９により、ラック１が軽量化されると共に、ラック１内に冷気や液体窒素が流入し易くなり、収納容器セット２及びその内容物が速やかに冷却される。ラック１内には、収納容器セット２が左側の両支柱４，５間を介して外側方から挿入され、各棚部７に、立設姿勢で前後方向に複数（図例では、３セット）並設可能とされている。この際、収納容器セット２の下部が、溝型状棚部７内に位置すると共に、収納容器セット２の左側部が左側の前後支柱４，５間に位置し、又、収納容器セット２の右側部が溝型状の支柱６内に位置するようにされて、収納容器セット２がラック１の窓部８，９から前方、又は、後方に落下しないようにされている。尚、左側の各支柱４，５には、収納容器セット２を取出し易くするための凹部１０が形成されている。
【００１３】
収納容器セット２は、左右方向に並設された２個（複数、即ち、３個以上でもよい。）の収納容器（プロテクタ）１１と、これら収納容器１１を解除可能に連結する連結手段を有する。
【００１４】
図３〜図１４に示すように、収納容器１１は、既存の収納容器を、左右方向に関して、（略）２分割した大きさとされて、プラスチック製の医療用凍結バッグ（保存容器）１３を１個収納するもので、厚さが０．８〜１．０ｍｍのアルミニウム、メッキ処理を施した軟鋼、ステンレス等の金属板からなる。収納容器１１は薄い箱状（直方体形状）とされ、収納体（本体）１４と、蓋体１５と、落下防止具（落下防止機構）１６を有する。尚、凍結バッグ１３は、血液、細胞及び生体由来成分が充填されるもので、その前面には、患者の氏名、内容物名、主治医名等が記載されたラベル１７が貼付けられている。尚、図９は、収納容器１１の概略を示すもので、細部は省略、又は、簡略化している。
【００１５】
収納体１４は、前方に開口する薄い直方体形状とされて、長方形状の後壁部と、後壁部の４辺部から前方に突設された底壁部、天壁部及び左右一対の側壁部を有し、その内部に凍結バッグ１３が出入れ可能に収納される。
【００１６】
蓋体１５は、後方に開口する薄い直方体形状とされて、長方形状の前壁部と、前壁部の４辺部から後方に突設された底壁部、天壁部及び左右一対の側壁部を有する。蓋体１５は収納体１４に嵌脱自在に嵌合されるもので、収納体１４及び蓋体１５の下端部が左右方向の支軸１８により枢結されており、これにより、蓋体１５は、支軸回りの回動により、収納体１４の前側開口部を開閉自在に施蓋可能とされている。蓋体１５の前壁部の上部には、凍結バッグ１３のラベル１７を視認可能な窓部１９が形成されている。
【００１７】
尚、収納体１４及び蓋体１５の一方の側壁部には、孔部（図示省略）が形成され、他方の側壁部には、孔部に係脱自在に係合する突起（図示省略）が形成されており、蓋体１５で収納体１４の前側開口部を施蓋した際に、上記係合により、収納体１４と蓋体１５が解除可能に固定される。又、収納体１４及び蓋体１５の各側壁部の上部には、冷気や液体窒素が内部に流入可能な通気口２０，２１が形成されている。
【００１８】
落下防止具１６は、蓋体１５を開放した際に、収納体１４から凍結バッグ１３が不慮に落下することを防止するもので、前壁部と左右一対の側壁部を有する溝型状とされて、収納体１４の下部内に前方から嵌脱自在に嵌合され、これにより、凍結バッグ１３は、収納体１４の後壁部と落下防止具１６間で（略）挟持状とされる。この際、凍結バッグ１３のラベル１７は落下防止具１６の上方に位置しており、落下防止具１６により、ラベル１７の視認が阻害されることはない。尚、収納体１４及び落下防止具１６の一方の側壁部には、孔部（図示省略）が形成され、他方の側壁部には、孔部に係脱自在に係合する突起（図示省略）が形成されており、落下防止具１６を収納体１４に嵌合した際に、上記係合により、落下防止具１６が収納体１４に解除可能に固定される。
【００１９】
連結手段は、収納容器１１を解除可能に連結するもので、本例では、図１１及び図１２に詳細に示すように、収納容器１１に一体に備えられた係合部２３及び被係合部２４を有する。
【００２０】
係合部２３は、収納容器１１の蓋体１５の左側壁部の外面（この外面は、収納容器１１の並設方向に関して、収納容器１１の一端面に該当する。）の下部から外側方に一体に突設されており、上記左側壁部の下部から外側方に突設された薄板状の突設部２６と、突設部２６の外側端部（先端部）から上下に突設された薄板状の嵌入部２７を有し、Ｔ型状とされている。
【００２１】
被係合部２４は、本例では、上下一対とされて、係合部２３の嵌入部２７の上下部が係脱自在に係合、嵌入されて、固定されるもので、収納容器１１の蓋体１５の右側壁部の外面（この外面は、収納容器１１の並設方向に関して、収納容器１１の他端面に該当する。）の下部から外側方に一体に突設されており、上下方向に関して、両被係合部２４間の中央に、係合部２３の上下方向中央部が位置している。具体的には、被係合部２４は、上記右側壁部の一部と共に薄型の箱型を構成すると共に、両被係合部２４は点対称に配置されており、上側被係合部２４は、下方及び後方（前後方向一方）に開口し、又、下側被係合部２４は、上方及び前方（前後方向他方）に開口して、袋状とされている。尚、各被係合部２４の開口の左右方向の長さは、０．８〜１．０ｍｍとされている。
【００２２】
上記構成例によれば、凍結バッグ１３に充填された血液、細胞及び生体由来成分を凍結保存する際には、収納容器１１の蓋体１５を開放し、落下防止具１６を備えた収納体１４内に凍結バッグ１３を収納した後、蓋体１５を閉鎖、固定する。
【００２３】
次に、２個の収納容器１１を解除可能に連結して、左右方向に並設（連設）するが、この際には、例えば、図１３に示すように、左側収納容器１１を水平に保持し、右側収納容器１１を垂直に保持して、両収納容器１１を交叉状とすると共に、上下方向に関して、左側収納容器１１の両被係合部２４間の中央に、右側収納容器１１の係合部２３の上下方向中央部を位置させる。この状態で、例えば、左側収納容器１１を水平軸回りに矢示方向に相対的に（略）９０°回動させて、図１４に示すように、垂直姿勢とし、右側収納容器１１の係合部２３の嵌入部２７の上下部を、左側収納容器１１の上下の被係合部２４内に係脱自在に係合、嵌入して、固定し、２個の収納容器１１を解除可能に連結する。
【００２４】
その後、両収納容器１１をラック１内に、外側方から挿入し、棚部７に立設姿勢で載置する。この状態を、従来の場合と比較すると、本例の収納容器１１は、既存の収納容器を、左右方向に関して、（略）２分割した大きさで、棚部７に、既存の単一の収納容器の代わりに、２個載置できる。これにより、新たな設備投資や設置スペースの確保をせずとも、凍結バッグ１３の保存数量を２倍とできる。
【００２５】
又、２個の収納容器１１を連結手段により連結し、既存の収納容器と（略）同じ大きさの収納容器セット２を構成し、この収納容器セット２を棚部７に載置するようにしたので、既存の収納容器の場合と同様に、収納容器１１がラック１の前後の窓部８，９から落下する惧れもなく、ラック１の形状を変更する必要もない。
【００２６】
上記のようにして、収納容器１１をラック１に収納した後、収納容器１１をラック１と共に、液体窒素タンクや超低温フリーザーに入れて、収納容器１１内の凍結バッグ１３の内容物を凍結、保存する。
【００２７】
凍結バッグ１３の内容物を使用する際には、収納容器１１をラック１と共に、液体窒素タンクや超低温フリーザーから取出し、凍結バッグ１３を収納容器１１に入れた状態で、凍結バッグ１３内の内容物を解凍して、内容物を使用可能な状態とする。この際、落下防止具１６により、凍結バッグ１３が収納容器１１の収納体１４から落下することを防止されているので、収納容器１１の蓋体１５が不慮に開放しても、凍結バッグ１３が落下して、破損する惧れはない。
【００２８】
図１５及び図１６は本発明の実施の形態の第２例を示し、係合部２３（連結ピン）及び被係合部２４が上下一対とされると共に、係合部２３が、その基部に形成された基部側大径部３０と、これよりも小径の小径部３１と、基部側大径部３０と同径とされた先端側大径部３２を、上記の順で先端に向かって連設することで、構成されている。被係合部２４は、収納容器１１の蓋体１５の右側壁部に左右方向に貫通形成されており、その下部に位置する大径孔３３と、大径孔３３の上方に連設された小径孔３４を有する。大径孔３３には、先端側大径部３０及び小径部３１が側方から嵌脱可能とされている。小径孔３４は、大径孔３３よりも小径とされ、小径部３１のみが、大径孔３３内から嵌脱可能に係合可能ととされている。
【００２９】
上記構成例によれば、２個の収納容器１１を連結する際には、左側収納容器１１の係合部２３を、右側収納容器１１の被係合部２４の大径孔３３に嵌入した後、左側収納容器１１を、右側収納容器１１に対して、相対的に上方に移動させて、上記係合部２３の小径部３１を、上記被係合部２４の小径孔３４に、係合、嵌入させて、固定する。
【００３０】
図１７〜図２０は本発明の実施の形態の第３例を示し、収納容器１１の蓋体１５が収納体１４よりも５〜１０ｍｍ程度縦長とされており、蓋体１５を閉めた際に、収納体１４と蓋体１５の両天壁部間に、３〜５ｍｍ程度の隙間（挿入用空間）３６ができるようにされている。隙間３６は、後方に開口すると共に、通気口２０，２１を介して、左右両側方にも開口している。尚、隙間３６は、上記のように開口しておらずともよく、前後方向一方及び／又は左右両側方に開口していればよい。又、連結手段が、磁石３７と、収納容器１１とは別体の連結具（連結治具）３８を有する。
【００３１】
磁石３７は、収納容器１１の収納体１４の天壁部の上面の左右両側部に貼付けられている。
【００３２】
連結具３８は、ステンレス（ＳＵＳ４３０）、メッキ処理が施された鉄等の磁石３７に吸着される金属（磁性材料）から成る。連結具３８は、厚さが１．５〜３ｍｍ（好ましくは、１〜２ｍｍ）、幅が１０ｍｍ程度の板状、又は、直径１０ｍｍ程度の丸棒等から成り、コの字型、Ｌ字型、又は、直線状とされており、スリット等が設けられることもある。連結具３８は、並設された２個の収納容器１１に沿設されるもので、上記並設方向に関して、連結具３８の長さは、連結された２個の収納容器１１（これには、連結具３８自体も含まれる。）の幅（長さ）と（略）同じとされている。連結具３８は、具体的には、細長い薄板を折曲げ形成して、構成されている。連結具３８は、連結具３８の大部分を占める沿設部４０と、沿設部４０の両端部から下設（下方に突設）された左右一対の対向部４１を有する。沿設部４０は、並設された２個の収納容器１１に対し、並設方向に沿設されるもので、具体的には、収納容器１１の収納体１４と蓋体１５の両天壁部間の隙間３６に、後方から滑り込ませるように挿入され、磁石３７に、磁気吸着されて、収納容器１１に固定される。各対向部４１は、「収納容器セット２の外側端面に該当する」、左側収納容器１１の蓋体１５の左側面、又は、右側収納容器１１の蓋体１５の右側面に、当接、又は、少隙を介して、対向する。
【００３３】
上記構成例によれば、２個の収納容器１１を解除可能に連結する際には、２個の収納容器１１を左右方向に並設した後、連結具３８の沿設部４０を、収納容器１１の収納体１４と蓋体１５の両天壁部の隙間３６間に、後方から滑り込ませるように挿入して、磁石３７に、磁気吸着させ、収納容器１１に固定する。
【００３４】
収納容器セット２をラック１の棚部７から引出す際には、左側の収納容器１１を把持して、収納容器セット２を引出すが、この際には、連結具３８に対する磁石３７の磁気吸着力により（磁気吸着力が弱い場合には、連結具３８の対向部４１が右側収納容器１１に当接することにより）、右側収納容器１１も引出される。
【００３５】
収納容器セット２の連結を解除する際には、連結具３８を収納容器１１から後方にずらすようにして、隙間３６から離脱させれば、磁石３７による連結具３８の磁気吸着を容易に解除できる。
【００３６】
尚、この構成例によれば、連結具３８の長さが、並設された２個の収納容器１１（これには、連結具３８自体も含まれる。）の幅（長さ）と（略）同じとされているので、２個の収納容器１１を連結せずに、図１６に示すように、１個の収納容器１１に連結具３８を備えた場合でも、連結具３８が、収納容器１１から、左右両側方の一方、又は、両側方に大きく突出する。そして、収納容器１１の左側部、又は、連結具３８の左側部が、ラック１の左側の前後一対の支柱４，５間に位置し、又、収納容器１１の右側部、又は、連結具３８の右側部が、ラック１の溝型状の支柱６内に位置するので、収納容器１１が、１個の場合でも、ラック１の窓部８，９から前方、又は、後方に落下する惧れはない。
【００３７】
又、上記の場合において、１個の収納容器１１がラック１の棚部７の右側に載置されている場合でも、連結具３８を把手代わりに把持して、収納容器１１を引出せば、収納容器１１を容易にラック１から取出すことができる。
【００３８】
図２１及び図２２は本発明の実施の形態の第４例を示し、第３例の連結手段から磁石３７を除去した構成とされて、構成が簡素化されると共に、連結具３８が、ステンレス、メッキ処理を施した軟鋼等の金属、又は、ポリオキシエチレン、ポリエチレン、ポリプロピレン等の樹脂から構成されている。本例では、連結具３８が磁石３７に磁気吸着されて、収納容器１１に固定されないので、連結具３８の収納容器１１に対するセット及びその解除を容易に行なえる。
【００３９】
図２３は本発明の実施の形態の第５例を示し、連結手段が、湾曲状とされた左右一対の係合用連結具４３と、湾曲状とされた上下一対の被係合用連結具４４を有し、これら連結具４３，４４はバネ鋼から成る。各係合用連結具４３は、収納容器セット２の各側面に対し、湾曲凸状とされた状態で当接している。又、被係合用連結具４４は、収納容器セット２の上・下面に対し、湾曲凸状とされた状態で当接すると共に、その各端部は、下方、又は、上方に折曲げられて、係合受部４５とされ、各係合受部４５に、各係合用連結具４３の上下端部が、弾性変形を介して、係脱自在に係合している。
【００４０】
図２４及び図２５は本発明の実施の形態の第６例を示し、連結手段が、上下一対の溝型状の上・下連結具４７，４８と、上・下連結具４７，４８の右側端部を閉鎖状に連結する右連結具４９と、下連結具４８に前後方向の支軸５０により回動自在に支持された左連結具５１を有する。上連結具４７は、溝型の開口が下を向くように配設され、又、下連結具４８は、溝型の開口が上を向くように配設されて、上・下連結具４７，４８内に、収納容器１１の上下端部が嵌合している。上連結具４７の天壁部の左端部には係合孔５２が形成されており、この係合孔５２は、上記天壁部の左端から右方向に形成された第１係合部５３と、第１係合部５３の右端部から後方に連設された第２係合部５４を有している。左連結具５１は、弾性変形を介して、係合孔５２の第１係合部５３から第２係合部５４に係脱自在に係合されて、上・下連結具４７，４８の左側開口を閉鎖状とし、これら連結具４７，４８から収納容器１１が落下しないようにしている。
【００４１】
尚、実施の形態では、収納容器を、既存の収納容器を略２分割した大きさとしたが、略３分割以上した大きさとすることもある。
【００４２】
【発明の効果】
以上詳述したように、本発明によれば、連結具により、医療用収納容器を隣接する医療用収納容器と解除可能に連結するようにしたので、医療用収納容器を、既存の医療用収納容器を左右方向に関して複数に分割した大きさとしても、医療用収納容器の保管（保存）時等には、医療用収納容器を複数連結することにより、既存の医療用収納容器と略同じ大きさとでき、既存の医療用収納容器と略同様に取扱うことができる。これにより、医療用収納容器を、既存のラック等の収納装置に従来同様に保管でき、新たな設備投資や設置スペースの確保をせずとも、医療用収納容器の保管数量を増加できると共に、医療用収納容器の収納装置の構造を変更する必要もない。
請求項４によれば、連結具における、医療用収納容器の並設方向の長さが、連結された複数の医療用収納容器における、並設方向の長さと、略同一とされたので、例えば、単一の医療用収納容器に連結具を備えた場合でも、その医療用収納容器及び連結具の並設方向に関する長さを、連結された医療用収納容器における、並設方向に関する長さと略同一とできる。これにより、単一の医療用収納容器に連結具を備えた場合でも、並設方向に関する長さに関しては、連結された医療用収納容器、即ち、既存の医療用収納容器と略同様に取扱うことができて、既存のラック等の収納装置に従来同様に保管（保存）できる。
【図面の簡単な説明】
【図１】本発明の実施の形態の第１例を示す正面図である。
【図２】図１の側面図である。
【図３】図１の医療用収納容器を示す斜視図である。
【図４】図３の正面図である。
【図５】図３の背面図である。
【図６】（Ａ）は図３の左側面図、（Ｂ）は図３の右側面図である。
【図７】図３の平面図である。
【図８】図３の底面図である。
【図９】図３の開放した状態を示す概略斜視図である。
【図１０】図９の収納体に凍結バッグを入れた状態の正面図である。
【図１１】（Ａ）は図４の左側部の拡大断面図、（Ｂ）は図４の右側部の拡大断面図である。
【図１２】（Ａ）は図１１の（Ｂ）の全てを断面とした断面図、（Ｂ）は図１１の（Ａ）と（Ｂ）を組合わせた状態を示す断面図である。
【図１３】図３の連結方法を示す斜視図である。
【図１４】図１３の連結後の状態を示す斜視図である。
【図１５】本発明の実施の形態の第２例を示す連結された医療用収納容器の要部の縦側断面図である。
【図１６】図１５の被係合部を示す側面図である。
【図１７】本発明の実施の形態の第３例を示す正面図である。
【図１８】図１７の医療用収納容器セットの一部を示す背面図である。
【図１９】図１８の側面図である。
【図２０】図１７の開放した医療用収納容器と連結具の概略を示す簡略斜視図である。
【図２１】本発明の実施の形態の第４例の医療用収納容器セットの一部を示す背面図である。
【図２２】図２１の側面図である。
【図２３】本発明の実施の形態の第５例を示す医療用収納容器セットの正面図である。
【図２４】本発明の実施の形態の第６例を示す医療用収納容器セットの正面図である。
【図２５】図２４の一部断面平面図である。
【符号の説明】
１　収納用ラック（収納装置）
２　収納容器セット
１１　収納容器
１３　凍結バッグ
１４　収納体
１５　蓋体
３６　隙間
３７　磁石
３８　連結具
４０　沿設部
４１　対向部
４３　係合用連結具
４４　被係合用連結具
４７，４８　上・下連結具
４９，５１　右・左連結具
【図１】
2004121669.tif 000003
【図２】
2004121669.tif 000004
【図３】
2004121669.tif 000005
【図４】
2004121669.tif 000006
【図５】
2004121669.tif 000007
【図６】
2004121669.tif 000008
【図７】
2004121669.tif 000009
【図８】
2004121669.tif 000010
【図９】
2004121669.tif 000011
【図１０】
2004121669.tif 000012
【図１１】
2004121669.tif 000013
【図１２】
2004121669.tif 000014
【図１３】
2004121669.tif 000015
【図１４】
2004121669.tif 000016
【図１５】
2004121669.tif 000017
【図１６】
2004121669.tif 000018
【図１７】
2004121669.tif 000019
【図１８】
2004121669.tif 000020
【図１９】
2004121669.tif 000021
【図２０】
2004121669.tif 000022
【図２１】
2004121669.tif 000023
【図２２】
2004121669.tif 000024
【図２３】
2004121669.tif 000025
【図２４】
2004121669.tif 000026
【図２５】
2004121669.tif 000027